(57)【特許請求の範囲】
【請求項１】
それぞれ電流センサが取付けられる複数の電流センサ取付部と、これらの電流センサ取付部に取付けられた複数の電流センサの信号線をまとめて配線する配線格納部とを一体に設けた電流センサ取付部材であって、前記配線格納部は両側に壁部を備え、これらの壁部の上部に前記電流センサ取付部を形成したことを特徴とする電流センサ取付部材。
【請求項２】
複数の電流センサ取付部を複数列に配置し、その列の間に前記配線格納部を設けたことを特徴とする請求項１記載の電流センサ取付部材。
【請求項３】
複数の電流センサ取付部を千鳥状に配置し、これらの電流センサ取付部の下部に前記配線格納部を設けたことを特徴とする請求項２記載の電流センサ取付部材。
【請求項４】
所定の単位長を有し、列方向に連結したとき前記配線格納部が直線状となることを特徴とする請求項１に記載の電流センサ取付部材。
【請求項５】
一方の列の電流センサ取付部を、壁部の内側に偏移させた位置に設けたことを特徴とする請求項１記載の電流センサ取付部材。
【発明の詳細な説明】
【技術分野】
【０００１】
本発明は、複数の電流センサ取付部を備えた電流センサ取付部材に関するものである。
【背景技術】
【０００２】
複数の電流センサ取付部を備えた電流センサ取付部材としては、例えば特許文献１に示されるものがある。電流センサの信号線は各々の電流センサから出線されており、電流センサはワイヤハーネスに結束バンドによって固定され、信号線は配線ダクトに収納されていた。
【０００３】
しかし、電流センサを電力線に通した状態（浮いた状態）でワイヤハーネスに結束バンドで止める作業に手数を要するという問題があった。また、配線ダクトを別に取付けて使用していたが、取り付けが面倒である上に、部品点数が増加し、部品管理にも手数を要するという問題があった。
【先行技術文献】
【特許文献】
【０００４】
【特許文献１】特開２０１４−１０６１９７号公報
【発明の概要】
【発明が解決しようとする課題】
【０００５】
従って本発明の目的は上記した従来の問題点を解決し、取付け作用や配線作業の手数を軽減することができるとともに、部品点数の削減を図ることができる電流センサ取付部材を提供することである。
【課題を解決するための手段】
【０００６】
上記の課題を解決するためになされた本発明の電流センサ取付部材は、それぞれ電流センサが取付けられる複数の電流センサ取付部と、これらの電流センサ取付部に取付けられた複数の電流センサの信号線をまとめて配線する配線格納部とを一体に設けた電流センサ取付部材であって、前記配線格納部は両側に壁部を備え、これらの壁部の上部に前記電流センサ取付部を形成したことを特徴とするものである。
【０００７】
請求項２の発明は請求項１の発明において、複数の電流センサ取付部を複数列に配置し、その列の間に前記配線格納部を設けたことを特徴とするものである。
【０００８】
請求項３の発明は請求項２の発明において、複数の電流センサ取付部を千鳥状に配置し、これらの電流センサ取付部の下部に前記配線格納部を設けたことを特徴とするものである。
【０００９】
請求項４の発明は請求項１の発明において、電流センサ取付部材が所定の単位長を有し、列方向に連結したとき前記配線格納部が直線状となることを特徴とするものである。
【００１０】
請求項５の発明は請求項１の発明において、一方の列の電流センサ取付部を、壁部の内側に偏移させた位置に設けたことを特徴とするものである。
【発明の効果】
【００１１】
本発明の電流センサ取付部材は、電流センサ取付部と配線格納部とを一体に設けたものであるので、電流センサの取付けと電流センサの信号線と配置とを一挙に行なうことができ、取付け作業や配線作業の手数の削減を図ることができる。また部品点数の削減を図ることができる。
【００１２】
請求項２の発明によれば、列状に配置された電流センサ取付部の間に配線格納部を設けたので、簡単な構成であって省スペースとなる。
【００１３】
請求項３の発明によれば、複数の電流センサ取付部を千鳥状に配置し、これらの電流センサ取付部の下部に前記配線格納部を設けたので、電流センサをスペース効率よく取付けることができ、省スペースとなる。
【００１４】
請求項４の発明によれば、所定の単位長の電流センサ取付部材を必要に応じて連結して使用することができるので、部品点数が少なくて済む。また、使用する電流センサの信号線をまとめて制御機器まで導くことができる。
【００１５】
請求項５の発明によれば、一方の列の電流センサ取付部を、壁部の内側に偏移させた位置に設けたので、列と列との間隔を狭く形成することができ、更に省スペース化を図ることができる。また、電流センサ取付部の中央をくぼませて電線配線スペースとすれば、電流センサを通過した電力線を垂下させるスペースをダクトの外形内部に確保することができ、省スペースとなる。
【図面の簡単な説明】
【００１６】
【図１】太陽光発電システムの接続箱の内部構造を示す正面図である。
【図２】図１のＡ−Ａ矢視図である。
【図３】図１の要部拡大図である。
【図４】単一の電流センサ取付部材を示す斜視図である。
【図５】単一の電流センサ取付部材を示す上部斜視図である。
【図６】単一の電流センサ取付部材を示す下部斜視図である。
【図７】電流センサ取付部材の断面図である。
【発明を実施するための形態】
【００１７】
以下に本発明の実施形態を説明する。
以下に説明する実施形態は、太陽光発電システムの接続箱に用いられる電流センサ取付部材に関するものであるが、本発明の電流センサ取付部材は、この実施形態に限定されるものではない。
【００１８】
図１は太陽光発電システムの接続箱の内部構造を示す正面図、図２は図１のＡ−Ａ矢視図である。これらの図において、１は機器取付け板、２は多数の太陽光発電パネルにそれぞれ接続される多数の直流開閉器、３は各直流開閉器２の二次側に設けられた逆流防止ダイオードである。各直流開閉器２の一方の二次側端子と逆流防止ダイオード３とは電力線４により接続されているが、これらの電力線４が貫通するように電流センサ５が設けられている。
【００１９】
この実施形態では電流センサ５はＣＴであるが、これに限定されるものではない。各直流開閉器２の他方の二次側端子はリードバー６によってＮ極の主幹バー７に接続されている。電流センサ５は、以下に説明する本発明の電流センサ取付部材１０に取付けられている。本実施形態の接続箱は８回路型であるため、直流開閉器２と電流センサ５は８個ずつ設けられている。
【００２０】
図３は図１の要部の拡大図であり、４個の電流センサ５を取付けることができる単位長の電流センサ取付部材１０が２セット直列に連結され、８個の電流センサ５が装着されている。図示のように電流センサ取付部材１０の高さは、直流開閉器２の二次側端子から延びる電力線４が電流センサ５の中心を通過するように設定しておく。
【００２１】
図４〜図７に、単一の電流センサ取付部材１０を示す。電流センサ取付部材１０は断面が略Ｕ字状のもので、垂直な両側の壁部１１、１２と、それらを連結する底部１３と、壁部１１、１２の上端に２列に形成された電流センサ取付部１４、１５を備えている。図５に示されるように、この実施形態では電流センサ取付部１４、１５は壁部１１、１２の上端に千鳥状に配置されている。千鳥状配置とすることにより、電流センサ５の幅が大きい場合にも直流開閉器２のピッチに対応させて電流センサ５を配置することができる。
【００２２】
各電流センサ取付部１４、１５は平板部１６の両側に支持壁１７と弾性爪１８とを対向させて立設したもので、電流センサ５のケース７の底面部分を狭持することができる構造である。図４に示すように、弾性爪１８の先端は電流センサ５の中心孔の端部に係合することができる。このような構造によって、電流センサ５を簡単かつ確実に、電流センサ取付部１４、１５に取付けることができる。
【００２３】
電流センサ５はその片側下部に信号線用コネクタ１９を備えているため、支持壁１７と弾性爪１８とは信号線用コネクタ１９と干渉しない位置に形成されている。また図６に示すように、電流センサ５はその底面に複数の突起２０を備えており、電流センサ取付部１４、１５の平板部１６にはこれらの突起２０を嵌合させるための孔２１が形成されているので、電流センサ５を確実に電流センサ取付部１４、１５に保持させることができる。
【００２４】
両側の壁部１１、１２と底部１３とによって構成されるＵ字溝の部分は、これらの電流センサ取付部１４、１５に取付けられた複数の電流センサ５の信号線をまとめて配置する配線格納部２２となっており、電流センサ取付部１４、１５と一体に形成されている。なお配線格納部２２の形状は任意であり、信号線がばらばらにならないように規制できる形状であればよい。すなわち、本実施形態のようなダクト状のもののほか、信号線を束ねて保持できるフック状のものとしてもよく、結束バンドを備えるものとしてもよい。
【００２５】
図７に明示されるように、少なくとも一方の列の電流センサ取付部１５は垂直な壁部１２よりも内側に偏移させた位置に設けられており、他方の列の電流センサ取付部１４は垂直な壁部１１の略中央に設けられている。その理由は次の通りである。すなわち、各電流センサ５は検出精度を確保するために全て同一方向に取付けられるものであり、従って信号線用コネクタ１９も同一方向に位置する。このため図７に示すように、電流センサ取付部１４に取付けられた電流センサ５の信号線用コネクタ１９からは、真っ直ぐに信号線を配線格納部２２内に引き込むことができるが、反対側の電流センサ取付部１５も同様の位置にあると、取付けられた電流センサ５の信号線用コネクタ１９は壁部１２の外側になり、信号線を配線格納部２２内に引き込むことができない。しかし図７のように内側にオーバーハングする位置に電流センサ取付部１５を配置しておけば、壁部１２の凹部２３を介して信号線を配線格納部２２内に引き込むことが容易となる。
【００２６】
また上記のように、一方の列の電流センサ取付部１５を内側にオーバーハングする位置に形成することにより、下部の配線格納部２２に十分な配線スペースを確保しつつ、全体の幅を小さくすることができる。また上部のオーバーハングさせた電流センサ取付部１５は、配線格納部２２に格納された信号線の抜け止めにもなる。
【００２７】
図５に示すように、電流センサ取付部１５の中央は、電線配線スペース２４として窪ませてある。逆流防止ダイオード３は放熱を考慮して機器取付け板１を放熱板として用いるため、高さは低い位置となり、その分、電流センサ５を通過した電力線を垂下させなくてはならないが、このようにダクトの外形内部にその配線スペースを確保したものである。このような構造とすれば、電流センサ５及び配線ダクトと、逆流防止ダイオード３との間の距離を小さくすることができ、省スペースとなる。
【００２８】
図４〜図７に示された電流センサ取付部材１０は所定の単位長を有するものであり、必要に応じて連結して使用することができる。すなわち本実施形態では、図３に示すように２個の電流センサ取付部材１０を列方向に直列に連結し、直線状の配線格納部２２を形成している。また１２回路、１６回路等の場合には、３個、４個の電流センサ取付部材１０を列方向に連結すればよい。なお、電流センサ取付部１４、１５を千鳥状に配置したため、電流センサ取付部材１０の端部は片側が突出した段違い形状に形成されている。
【００２９】
以上に説明したように、本発明の電流センサ取付部材１０は電流センサ取付部１４、１５と配線格納部２２とを一体に形成したものであるから、機器取付け板１にねじや弾性爪を利用して取付けるだけで、電流センサ５とその信号線の配線格納部２２を一度に取付けることができ、取付け作業が容易である。また従来のように、電流センサ５を各々の電力線４に結束バンドで固定する必要がなく、電流センサ５の取付けの手数を軽減することができる。
【００３０】
上記した実施形態では、本発明の電流センサ取付部材１０を太陽光発電システムの接続箱に適用したが、本発明の電流センサ取付部材１０は分電盤等の内部において母線の近傍に取付けて使用することができる。また本発明の電流センサ取付部材１０は、母線の支持部材と一体化することも可能である。
【符号の説明】
【００３１】
１  機器取付け板
２  直流開閉器
３  逆流防止ダイオード
４  電力線
５  電流センサ
６  リードバー
７  Ｎ極の主幹バー
１０  電流センサ取付部材
１１  壁部
１２  壁部
１３  底部
１４  電流センサ取付部
１５  電流センサ取付部
１６  平板部
１７  支持壁
１８  弾性爪
１９  信号線用コネクタ
２０  突起
２１  孔
２２  配線格納部
２３  凹部
２４  電線配線スペース
【図１】
0006587443.tif 000002
【図２】
0006587443.tif 000003
【図３】
0006587443.tif 000004
【図４】
0006587443.tif 000005
【図５】
0006587443.tif 000006
【図６】
0006587443.tif 000007
【図７】
0006587443.tif 000008